(57)【要約】【課題】設計の自由度が高く、押圧操作の際の静電気の放電による影響を軽減可能なボタン装置を提供する。【解決手段】孔部２１ｂを有するダイヤル部材２１と、ダイヤル部材２１の一方の側に露出する押圧部４１ａと、孔部２１ｂに挿入され、ダイヤル部材２１に対して摺動可能な挿入部４４と、ダイヤル部材２１の他方の側にて、挿入部４４の外周から突出する抜け止め部４２ｂとを有するボタン２２と、他方の側に設けられ、ボタン２２への押圧操作により押圧される押圧スイッチ２３と、を備え、抜け止め部４２ｂの押圧部４１ａ側には、挿入部４４側から外周側へかけて突条部４２ｄが形成されている。【選択図】図２
2006100017.tif 000002
【特許請求の範囲】
【請求項１】
孔部を有する基体と、
前記基体の一方の側に露出して配置された押圧部と、前記押圧部から前記孔部内に延在すると共に前記基体に対して所定の軸方向に摺動可能な挿入部と、前記基体の他方の側に配置されると共に前記所定の軸の外周方向に突出する突出部を含む抜け止め部と、を有するキートップと、
前記他方の側に配置されると共に前記キートップへの押圧操作により押圧可能な押圧スイッチと、
を備え、
前記突出部に突出長さ方向の沿面距離を延長する静電対策形状部を備えた
ことを特徴とするボタン装置。
【請求項２】
前記静電対策形状部は、前記突出部の前記一方の側の面及び／又は前記他方の側に設けられた段部からなることを特徴とする請求項１に記載のボタン装置。
【請求項３】
孔部を有する基体と、
前記基体の一方の側に露出して配置された押圧部と、前記押圧部から前記孔部内に延在すると共に前記基体に対して所定の軸方向に摺動可能な挿入部と、前記基体の他方の側に配置されると共に前記所定の軸の外周方向に突出する突出部を含む抜け止め部と、を有するキートップと、
前記他方の側に配置されると共に前記キートップへの押圧操作により押圧可能な押圧スイッチと、
を備え、
前記突出部の前記一方の側の面及び／又は前記他方の側に段部を設けた
ことを特徴とするボタン装置。
【請求項４】
前記段部は、凸部及び凹部の少なくともいずれか１つからなることを特徴とする請求項２又は３に記載のボタン装置。
【請求項５】
前記基体の前記他方の側に、前記凸部又は凹部と嵌合する被嵌合部が形成されていることを特徴とする請求項４に記載のボタン装置。
【請求項６】
前記抜け止め部は、前記押圧部側に前記挿入部を囲む突条部が設けられることにより、前記抜け止め部の前記凸部が形成されていることを特徴とする請求項４又は５に記載のボタン装置。
【請求項７】
前記キートップは、前記押圧部の少なくとも前記基体の一方の側に露出して設けられた押圧部材と、前記抜け止め部の少なくとも前記所定の軸の外周側に形成された係止部材とを更に備え、
前記押圧部材の表面の導電率が前記係止部材の表面の導電率より高く構成したことを特徴とする請求項１乃至６の何れかに記載のボタン装置。
【請求項８】
前記押圧部材から前記孔部内に突出するよう前記挿入部又は前記押圧部材に設けられた突部と、
前記孔部内に延在すると共に前記突部が嵌入される前記係止部材に設けられた被嵌入部と、
を有することを特徴とする請求項７に記載のボタン装置。
【請求項９】
孔部を有する基体と、
前記基体の一方の側に露出して配置された押圧部と、前記押圧部から前記孔部内に延在すると共に前記基体に対して所定の軸方向に摺動可能な挿入部と、前記基体の他方の側に配置されると共に前記所定の軸の外周方向に突出する抜け止め部と、を有するキートップと、
前記他方の側に配置された基板と、
前記基板に配置されると共に前記キートップへの押圧操作により押圧可能な押圧スイッチと、
を備え、
前記抜け止め部は、押圧操作の際の静電気放電による電流が前記キートップの表面に沿って前記押圧スイッチまたは前記基板まで流れるのを防止するように、前記抜け止め部の沿面距離を長くするように形成した
ことを特徴とするボタン装置。
【発明の詳細な説明】
【技術分野】
【０００１】
本発明は、押圧操作がなされるボタン装置、より詳細には、静電気対策を施したボタン装置に関するものである。
【背景技術】
【０００２】
ボタン装置を操作する際に、人体に帯電した静電気がボタン装置に放電され、回路の動作に悪影響を及ぼすことが知られている。このような静電気に対する対策を施したボタン装置として、静電気をキートップから他の部材へ逃がすボタン装置、キートップとスイッチとを他の非導電性の部材によって隔離するボタン装置が提案されている。
【０００３】
前者としては、例えば、キートップの周囲下部に、筐体（カメラカバー）裏面に接触する接触部を設け、静電気を筐体に逃がすもの（特許文献１）、キートップが設けられる筐体開口部周辺に導電性部材を設けて、当該導電性部材に静電気を逃がすものがある（特許文献４）。
【０００４】
後者としては、例えば、押圧スイッチを覆うとともに、キートップを支持する非導電性の弾性部材を設けるもの（引用文献２）、上面でキートップを支持するとともに、下面に接点が設けられる非導電性の弾性部材を設けるもの（引用文献３）がある。
【特許文献１】特開２００４−２２７８０８号公報
【特許文献２】特開平１１−１４９８４８号公報
【特許文献３】特開平９−１６１６１８号公報
【特許文献４】特開平６−２８３０７１号公報
【発明の開示】
【発明が解決しようとする課題】
【０００５】
しかし、引用文献２〜４は他の部材を設けることを前提としたものであり、部品点数の削減や装置の小型化には不利である。また、引用文献１では、キートップに設けられた接触部と筐体とが接触するように構成しなければならない。
【０００６】
本発明は、設計の自由度が高く、押圧操作の際の静電気の放電による影響を軽減可能なボタン装置を提供することにある。
【課題を解決するための手段】
【０００７】
本発明の第１の観点のボタン装置は、孔部を有する基体と、前記基体の一方の側に露出して配置された押圧部と、前記押圧部から前記孔部内に延在すると共に前記基体に対して所定の軸方向に摺動可能な挿入部と、前記基体の他方の側に配置されると共に前記所定の軸の外周方向に突出する突出部を含む抜け止め部と、を有するキートップと、前記他方の側に配置されると共に前記キートップへの押圧操作により押圧可能な押圧スイッチと、を備え、前記突出部に突出長さ方向の沿面距離を延長する静電対策形状部を備える。
【０００８】
好適には、前記静電対策形状部は、前記突出部の前記一方の側の面及び／又は前記他方の側に設けられた段部からなる。
【０００９】
本発明の第２の観点のボタン装置は、孔部を有する基体と、前記基体の一方の側に露出して配置された押圧部と、前記押圧部から前記孔部内に延在すると共に前記基体に対して所定の軸方向に摺動可能な挿入部と、前記基体の他方の側に配置されると共に前記所定の軸の外周方向に突出する突出部を含む抜け止め部と、を有するキートップと、前記他方の側に配置されると共に前記キートップへの押圧操作により押圧可能な押圧スイッチと、を備え、前記突出部の前記一方の側の面及び／又は前記他方の側に段部を設ける。
【００１０】
好適には、前記段部は、凸部及び凹部の少なくともいずれか１つからなる。
【００１１】
好適には、前記基体の前記他方の側に、前記凸部又は凹部と嵌合する被嵌合部が形成されている。
【００１２】
好適には、前記抜け止め部は、前記押圧部側に前記挿入部を囲む突条部が設けられることにより、前記抜け止め部の前記凸部が形成されている。
【００１３】
好適には、前記キートップは、前記押圧部の少なくとも前記基体の一方の側に露出して設けられた押圧部材と、前記抜け止め部の少なくとも前記所定の軸の外周側に形成された係止部材とを更に備え、前記押圧部材の表面の導電率が前記係止部材の表面の導電率より高く構成する。
【００１４】
好適には、前記押圧部材から前記孔部内に突出するよう前記挿入部又は前記押圧部材に設けられた突部と、前記孔部内に延在すると共に前記突部が嵌入される前記係止部材に設けられた被嵌入部と、を有する。
【００１５】
本発明の第３の観点のボタン装置は、孔部を有する基体と、前記基体の一方の側に露出して配置された押圧部と、前記押圧部から前記孔部内に延在すると共に前記基体に対して所定の軸方向に摺動可能な挿入部と、前記基体の他方の側に配置されると共に前記所定の軸の外周方向に突出する抜け止め部と、を有するキートップと、前記他方の側に配置された基板と、前記基板に配置されると共に前記キートップへの押圧操作により押圧可能な押圧スイッチと、を備え、前記抜け止め部は、押圧操作の際の静電気放電による電流が前記キートップの表面に沿って前記押圧スイッチまたは前記基板まで流れるのを防止するように、前記抜け止め部の沿面距離を長くするように形成する。
【発明の効果】
【００１６】
本発明のボタン装置によれば、設計の自由度を確保し、押圧操作の際の静電気の放電による影響を軽減できる。
【発明を実施するための最良の形態】
【００１７】
図１は、本発明を適用したデジタルカメラ１を示す概観斜視図である。デジタルカメラ１は、筐体２と、筐体２の上面部２ａに設けられた操作部３とを備えている。操作部３は、シャッターの開閉操作を行うためのボタン装置４と、露出量、シャッタースピード、絞り値等の各種パラメータの設定方法を指定するためのダイヤル装置５とを兼ねている。以下では、ボタン装置４の構成を中心に述べる。
【００１８】
図２（ｂ）はボタン装置４の上面図、図２（ａ）は図２（ｂ）のII−II線におけるボタン装置４の断面図、図３はボタン装置４を分解して示す斜視図、図４はボタン装置４を分解して示す正面図である。ボタン装置４は、基体としてのダイヤル部材２１と、キートップとしてのボタン２２と、押圧スイッチ２３が設けられる回路基板２４とを備えている。
【００１９】
ダイヤル部材２１は、例えば樹脂により形成される。ダイヤル部材２１は、略円盤状に形成され、筐体外部（上方）側において回転中心を中心として円形に形成された凹部２１ａと、凹部２１ａの底部からダイヤル部材２１の筐体内部側へ貫通する孔部２１ｂとを有している。ダイヤル部材２１は、上面部２ａに設けられた開口部２ｂに筐体外部側から嵌め込まれ、ダイヤル部材２１の筐体内部側に、開口部２ｂよりも大きいクリック板３１がねじ止めされることにより、上面部２ａに回動可能に固定されている。なお、操作部３は、ダイヤル部材２１の筐体内部側に保持され、クリック板３１に設けられた複数の孔部に順次係合してクリック感を出すためのスチールボール３２と、クリック板３１とともにダイヤル部材２１の筐体内部側にねじ止めされ、基板２４に設けられた抵抗体３４に接触部３３ａが摺動するコンタクト板３３とを備えており、上面部２ａ、ダイヤル部材２１、クリック板３１、スチールボール３２、コンタクト板３３、抵抗体３４により、ダイヤル装置５が構成されている。
【００２０】
ボタン２２は、押圧部材４１と、係止部材４２とを備えている。押圧部材４１は、例えば樹脂製の本体に金属メッキが施されて形成される。なお、金属メッキを施すのは主として外観上の理由からである。押圧部材４１は、略円盤状の押圧部４１ａと、押圧部４１ａの筐体内部側から孔部２１ｂへ向けて突出する突部４１ｂとを有している。押圧部４１ａは孔部２１ｂに嵌合する大きさに形成されており、筐体外部側の表面がダイヤル部材２１の筐体外部側に露出する。
【００２１】
係止部材４２は、例えば樹脂により形成される。係止部材４２は、全体としてキャップ形状に形成されており、孔部２１ｂへ向けて突出し、突部４１ｂを囲む円筒部（被嵌入部）４２ａと、円筒部４２ａの筐体内部側の外周から突出する突出部を含む抜け止め部４２ｂと、抜け止め部４２ｂより筐体内部側に設けられる底部４２ｃとを有している。円筒部４２ａの中空部は、突部４１ｂが嵌合するように内径が設定されている。また、円筒部４２ａは孔部２１ｂに嵌合するように外径が設定されており、円筒部４２ａは孔部２１ｂ内を円筒部４２ａの軸方向（押圧方向）に摺動可能である。抜け止め部４２ｂの外径は孔部２１ｂの内径よりも大きく設定されている。抜け止め部４２ｂの縁部には、上方へ延びる突条部４２ｄが設けられており、換言すれば、抜け止め部４２の筐体外部側には、円筒部４２ａの全周に亘って、円筒部４２ａ側から外周側へかけて凹凸が形成されている。
【００２２】
なお、突出部は抜け止め部に含まれ、所定の軸の外周方向に突出した部分を意味するが、本実施形態では抜け止め部全体が突出部として機能している。静電対策形状部は、突出部の突出長さ方向（挿入部側から外周側への方向）の沿面距離を長くするための形状を有する部分を意味し、段部は凹部及び／凸部の上位概念を示すものであり、本実施形態では突条部４２ｄが静電対策形状部、段部として機能する。
【００２３】
ボタン２２は、押圧部材４１を筐体外部側から孔部２１ｂへ挿入し、係止部材４２を筐体内部側から孔部２１ｂへ挿入し、突部４１ｂを円筒部４２ａの中空部に嵌合させることにより、ダイヤル部材２１に取り付けられる。この際、押圧部材４１とダイヤル部材２１の凹部２１ａとの間には、押圧部材４１を上方へ付勢するコイルばね４３が設けられる。なお、円筒部４２ａ及び突部４１ｂにより挿入部４４が構成される。
【００２４】
ダイヤル部材２１の筐体内部側には、抜け止め部４２ｂが嵌合する凹部２１ｃが設けられている。さらに、凹部２１ｃの底部（図２（ａ）の上方側）には、突条部４２ｄが嵌合する溝部２１ｄ（被嵌合部）が形成されている。
【００２５】
基板２４は例えば多層式のプリント基板として構成され、押圧スイッチ２３を含む種々の電子部品が配置される。押圧スイッチ２３は筐体外部側からの押圧に応じて基板２４上の回路の開閉を行うものであり、ボタン２２が押し下げ操作されると、係止部材４２の底部４２ｃにより押圧される。
【００２６】
図５は、本実施形態の作用を概念的に示す図である。図５（ａ）は、従来のボタン装置５１を示している。従来のボタン装置５１では、ダイヤル部材２１の孔部２１ｂに、押圧部材５２に設けられた円筒部５２ｂが挿入され、当該円筒部５２ｂの中空部に係止部材５３の突部５３ａが嵌合して押圧部材５２が取り付けられる。また、係止部材５３の抜け止め部５３ｂは、表面が平坦に形成されるとともに、押圧部材５２の抜け止めに必要な長さだけ、孔部２１ｂの内径よりも外径が大きくなるように設定されている。なお、抜け止めに必要な長さについては、係止部材５３に加えられると予想される荷重、ダイヤル部材２１及び係止部材５３の熱や荷重による変形を考慮して設定される。
【００２７】
従来のボタン装置５１では、矢印ｙ１で示すように、静電気の放電により、円筒部５２ｂとダイヤル部材２１との隙間を円筒部５２に沿って電流が流れる。そして、抜け止め部５３ｂを超えて基板２４まで電流が流れる。
【００２８】
一方、本実施形態のボタン装置４では、抜け止め部４２ｂに突条部４２ｄが設けられることにより、矢印ｙ２で示す沿面距離が従来のものよりも長くなっている。このため、従来に比較して、電流が基板２４まで到達することが抑制される。また、抜け止め部４２ｂを筐体外部側へ折り返して沿面距離を長く確保しているため、平坦な抜け止め部に比較して、抜け止め部４２ｂを左右に大きくせずとも沿面距離を長く確保できる。このため、抜け止め部４２ｂの周囲のレイアウトに及ぼす影響も小さい。例えば、ダイヤル部材２１の筐体内部側には、抜け止め部４２ｂの周囲にクリック板３１をねじ止めするスペースが必要であるが、ダイヤル部材２１を大きくせずとも、当該スペースを確保できる。
【００２９】
ダイヤル部材２１の筐体内部側が抜け止め部４２ｂの筐体外部側の形状と嵌合するように形成されているため、電流は抜け止め部４２ｂの凹凸に沿って流れざるを得ず、電流の経路を確実に長くできる。
【００３０】
押圧部材４１（５２）は、メッキが施されており、表面の導電率が比較的高くなっている。従来のボタン装置５１では、押圧部材５２がダイヤル部材２１の筐体内部側にまで突出しているため、基板２４の近くまで電流が流れやすく、静電気の影響を受けやすかった。しかし、本実施形態では、樹脂で形成されて押圧部材５２の表面よりも導電率の低い係止部材４２を、キャップ状に形成して押圧部材４１の突部と係合させているため、押圧部材４１の基板２４側への露出が少なく、電流が基板へ流れにくい。さらに、係止部材により孔部２１ｂに挿入される挿入部全体を構成しているため、一層電流が流れにくい。
【００３１】
本発明は、以上の実施形態に限定されず、種々の態様で実施してよい。
【００３２】
本発明のボタン装置は、デジタルカメラに限られず、種々の電子機器や用途の限定されていないボタン装置に適用できる。
【００３３】
抜け止め部は、従来の抜け止め部に比較して、沿面距離を長く確保できるものであればよい。図６（ａ）〜図６（ｃ）は、抜け止め部の変形例を示す断面図である。
【００３４】
図６（ａ）に示すように、突条部４２ｄに代えて、抜け止め部６１ａに溝部６１ｂを設けてもよい。突条部や溝部を複数組み合わせてもよい。凹凸は突条部や溝部のように抜け止め部の全周に亘って延びているものに限られない。凹凸によって抜け止め部の内側から外側への沿面距離が長くなればよい。例えば、複数の凹部又は凸部を抜け止め部の周方向に配列してもよい。
【００３５】
図６（ｂ）に示すように、抜け止め部に凹凸を設けずに、挿入部６２ｂに直交する（押圧方向に直交する）面に対して抜け止め部６２ａを傾斜させることにより、挿入部６２ｂと抜け止め部とが直交する場合よりも沿面距離を長くしてもよい。
【００３６】
図６（ｃ）に示すように、抜け止め部６３ａに鍔部６４を設け、沿面距離を長くしてもよい。なお、鍔部６４は、抜け止め部６３ａよりも薄く形成されており、抜け止め部６３ａよりも剛性が弱い。つまり、ダイヤル部材２１からの荷重に対して剛性部材として機能し、抜け止めを防止するのは主として抜け止め部６３ａの部分である。従って、鍔部６４を備えた抜け止め部６３ａは、単に径方向へ広げられた抜け止め部とは明瞭に区別される。
【００３７】
また、鍔部６４を設けずに、抜け止め部をそのままの厚さで径方向に広げてもよい。この場合、上述のように、抜け止め部として必要な大きさは、ダイヤル部材及び係止部材の荷重による変形等の各種条件を考慮して設定されるから、これよりも長く設定されていれば、静電気対策として沿面距離を確保しているものとみなすことができる。
【００３８】
キートップは、押圧部、挿入部及び抜け止め部を有していればよく、押圧部材と抜き止め部材とを組み合わせて構成したものに限定されない。例えば、押圧部、挿入部及び抜け止め部を有するキートップを一体成形により形成してもよい。一体成形とは逆に、押圧部、挿入部及び抜け止め部にそれぞれ対応する部材を組み合わせてキートップを構成するなど、３個以上の部材を組み合わせて構成してもよい。
【００３９】
複数の部材を組み合わせてキートップを構成する場合、適宜に部材の組み合わせを設定してよい。例えば、押圧部のみを有する部材に孔部を設け、当該孔部に、挿入部及び抜け止め部を有する部材の挿入部を嵌合させてキートップを構成してもよい。
【００４０】
本実施形態では、押圧部、挿入部及び抜け止め部は、キートップの押圧方向から見て円形に形成されているが、押圧方向に摺動可能であれば如何なる形状であってもよい。
【図面の簡単な説明】
【００４１】
【図１】本発明を適用したデジタルカメラの概観斜視図である。
【図２】図１のデジタルカメラのボタン装置の断面図及び平面図である。
【図３】図１のデジタルカメラのボタン装置を分解して示す斜視図である。
【図４】図１のデジタルカメラのボタン装置を分解して示す正面図である。
【図５】図１のデジタルカメラのボタン装置の作用を示す概念図である。
【図６】図１のデジタルカメラのボタン装置の変形例を示す断面図である。
【符号の説明】
【００４２】
２１ｂ…孔部、２１…基体、４１ａ…押圧部、４４…挿入部、４２ｂ…抜け止め部、２２…キートップ、２３…押圧スイッチ、４２ｄ…静電対策形状部。
【図１】
2006100017.tif 000003
【図２】
2006100017.tif 000004
【図３】
2006100017.tif 000005
【図４】
2006100017.tif 000006
【図５】
2006100017.tif 000007
【図６】
2006100017.tif 000008